(57)【要約】【課題】電磁波ノイズによる誤起動を抑制することができる生体情報測定装置、方法、及びプログラムを提供する。【解決手段】体組成計１０は、ユーザーの初期設定体重を取得し、ユーザーが乗って生体情報を測定するための測定台１０Ａにユーザーが乗ったか否かを判定するためのステップオン閾値を、取得された初期設定体重に対応して設定し、測定台１０Ａにユーザーが乗ったと判定した場合に、生体情報の測定を行うように制御する。【選択図】図１
2016114386.tif 000002
【特許請求の範囲】
【請求項１】
ユーザーが乗って生体情報を測定するための測定台と、
前記ユーザーの初期設定体重を取得する初期設定体重取得手段と、
前記測定台にユーザーが乗ったか否かを判定するためのステップオン閾値を、前記初期設定体重取得手段により取得された前記初期設定体重に対応して設定し、前記測定台にユーザーが乗ったと判定した場合に、前記生体情報の測定を行うように制御する制御手段と、
を備えた生体情報測定装置。
【請求項２】
前記ユーザーの体重を測定する体重測定手段を備え、
前記初期設定体重は、前記体重測定手段により測定された前記ユーザーの初期設定体重であり、
前記制御手段は、前記初期設定体重に対して予め定めた演算方法で演算した値を前記ステップオン閾値として設定する
請求項１記載の生体情報測定装置。
【請求項３】
前記ユーザーの性別、年齢、及び身長の少なくとも１つを含むユーザー情報を記憶する記憶手段を備え、
前記制御手段は、前記記憶手段に記憶された前記ユーザー情報に基づいて前記ユーザーの初期設定体重を求め、求めた初期設定体重に対して予め定めた演算方法で演算した値を前記ステップオン閾値として設定する
請求項１記載の生体情報測定装置。
【請求項４】
前記記憶手段に複数のユーザーのユーザー情報が記憶されている場合、前記制御手段は、前記複数のユーザーの初期設定体重のうち最低の初期設定体重に対して前記演算方法で演算した値を前記ステップオン閾値として設定する
請求項３記載の生体情報測定装置。
【請求項５】
前記制御手段は、初期設定体重の重さに応じて前記演算方法を変更する
請求項２〜４の何れか１項に記載の生体情報測定装置。
【請求項６】
前記ユーザーの体重を測定する体重測定手段を備え、
前記制御手段は、前記体重測定手段により前記体重が測定される毎に前記初期設定体重を更新し、更新された初期設定体重に対応して前記ステップオン閾値を更新する
請求項１〜５の何れか１項に記載の生体情報測定装置。
【請求項７】
ユーザーの初期設定体重を取得し、
前記ユーザーが乗って生体情報を測定するための測定台にユーザーが乗ったか否かを判定するためのステップオン閾値を、取得された前記初期設定体重に対応して設定し、前記測定台にユーザーが乗ったと判定した場合に、前記生体情報の測定を行うように制御する
生体情報測定方法。
【請求項８】
コンピュータに、
ユーザーの初期設定体重を取得し、
前記ユーザーが乗って生体情報を測定するための測定台にユーザーが乗ったか否かを判定するためのステップオン閾値を、取得された前記初期設定体重に対応して設定し、前記測定台にユーザーが乗ったと判定した場合に、前記生体情報の測定を行うように制御する
ことを含む処理を実行させるための生体情報測定プログラム。
【発明の詳細な説明】
【技術分野】
【０００１】
本発明は、生体情報測定装置、方法、及びプログラムに関する。
【背景技術】
【０００２】
従来、体重計等の生体情報測定装置において、被測定者が乗ったことを検知して装置を起動させ、被測定者の体重等の生体情報を測定する、いわゆるステップオンタイプの生体情報測定装置が提案されている。
【０００３】
そして、このステップオンタイプを実現させる方式として、例えば、特許文献１に示されるように、所定時間間隔で電力の消費を抑えつつ荷重センサの出力値を取得し、取得した荷重センサの出力値が予め定められた閾値以上であることを検出した場合に起動して体重を測定する方式の生体情報測定装置が提案されている。
【先行技術文献】
【特許文献】
【０００４】
【特許文献１】特開２０１０−３８６８８号公報
【発明の概要】
【発明が解決しようとする課題】
【０００５】
しかしながら、特許文献１に示されたような従来の装置は、ユーザーが装置に乗ったか否かを判定する際の予め定められた閾値を固定値としている。そして、この固定値は、装置の使用が想定される家族等の複数のユーザー全ての体重測定を可能とするために、複数のユーザーの中で体重が一番軽い者を想定して低い値が設定されている。このため、例えば生体情報測定装置の近くに除湿機等の他の電子機器が存在する場合、電磁波ノイズの影響により荷重センサの出力値が予め定められた閾値以上の変動を生じて、誤起動してしまうことがある。
【０００６】
本発明は、電磁波ノイズによる誤起動を抑制することができる生体情報測定装置、方法、及びプログラムを提供することを目的とする。
【課題を解決するための手段】
【０００７】
上記課題を解決するため、請求項１記載の発明の生体情報測定装置は、ユーザーが乗って生体情報を測定するための測定台と、前記ユーザーの初期設定体重を取得する初期設定体重取得手段と、前記測定台にユーザーが乗ったか否かを判定するためのステップオン閾値を、前記初期設定体重取得手段により取得された前記初期設定体重に対応して設定し、前記測定台にユーザーが乗ったと判定した場合に、前記生体情報の測定を行うように制御する制御手段と、を備える。
【０００８】
請求項２記載の発明は、前記ユーザーの体重を測定する体重測定手段を備え、前記初期設定体重は、前記体重測定手段により測定された前記ユーザーの初期設定体重であり、前記制御手段は、前記初期設定体重に対して予め定めた演算方法で演算した値を前記ステップオン閾値として設定する。
【０００９】
請求項３記載の発明は、前記ユーザーの性別、年齢、及び身長の少なくとも１つを含むユーザー情報を記憶する記憶手段を備え、前記制御手段は、前記記憶手段に記憶された前記ユーザー情報に基づいて前記ユーザーの初期設定体重を求め、求めた初期設定体重に対して予め定めた演算方法で演算した値を前記ステップオン閾値として設定する。
【００１０】
請求項４記載の発明は、前記記憶手段に複数のユーザーのユーザー情報が記憶されている場合、前記制御手段は、前記複数のユーザーの初期設定体重のうち最低の初期設定体重に対して前記演算方法で演算した値を前記ステップオン閾値として設定する。
【００１１】
請求項５記載の発明は、前記制御手段は、初期設定体重の重さに応じて前記演算方法を変更する。
【００１２】
請求項６記載の発明は、前記ユーザーの体重を測定する体重測定手段を備え、前記制御手段は、前記体重測定手段により前記体重が測定される毎に前記初期設定体重を更新し、更新された初期設定体重に対応して前記ステップオン閾値を更新する。
【００１３】
請求項７記載の発明の生体情報測定方法は、ユーザーの初期設定体重を取得し、前記ユーザーが乗って生体情報を測定するための測定台にユーザーが乗ったか否かを判定するためのステップオン閾値を、取得された前記初期設定体重に対応して設定し、前記測定台にユーザーが乗ったと判定した場合に、前記生体情報の測定を行うように制御する。
【００１４】
請求項８記載の発明の生体情報測定プログラムは、コンピュータに、ユーザーの初期設定体重を取得し、前記ユーザーが乗って生体情報を測定するための測定台にユーザーが乗ったか否かを判定するためのステップオン閾値を、取得された前記初期設定体重に対応して設定し、前記測定台にユーザーが乗ったと判定した場合に、前記生体情報の測定を行うように制御することを含む処理を実行させる。
【発明の効果】
【００１５】
本発明によれば、電磁波ノイズによる誤起動を抑制することができる、という効果を有する。
【図面の簡単な説明】
【００１６】
【図１】体組成計の平面図である。
【図２】体組成計のブロック図である。
【図３】制御部で実行される生体情報測定処理のフローチャートである。
【図４】制御部で実行される初期設定処理のフローチャートである。
【図５】登録された複数のユーザーの初期設定体重の一例を示す図である。
【図６】変形例に係る初期設定処理のフローチャートである。
【発明を実施するための形態】
【００１７】
以下、本発明の実施形態について説明する。本実施形態では、本発明に係る生体情報測定装置を、体重及び体脂肪等の生体情報の測定が可能な体組成計に適用した場合について説明する。
【００１８】
図１には、本実施形態に係る体組成計１０の平面図を、図２には、体組成計１０の電気系の構成を示すブロック図を示した。
【００１９】
図１及び図２に示すように、体組成計１０は、通電電極１２Ａ、１２Ｂ、測定電極１４Ａ、１４Ｂ、生体インピーダンス測定部１６、表示部１８、操作部２０、記憶部２２、荷重センサ２４、タイマ２６、電源２８、及び制御部３０を備える。
【００２０】
生体インピーダンス測定部１６は、電流供給部１６Ｘ、電圧測定部１６Ｙ、及び生体インピーダンス算出部１６Ｚを備える。
【００２１】
電流供給部１６Ｘは、高周波の交流電流を通電電極１２Ａ、１２Ｂに供給する。
【００２２】
電圧測定部１６Ｙは、測定電極１４Ａ、１４Ｂ間の電圧を測定する。
【００２３】
生体インピーダンス算出部１６Ｚは、電流供給部１６Ｘにより供給された交流電流の電流値と電圧測定部１６Ｙにより測定された電圧の電圧値と、に基づいて生体インピーダンスを算出する。
【００２４】
図１に示すように、体組成計１０の測定台１０Ａには、４つの通電電極１２Ａ、１２Ｂ、測定電極１４Ａ、１４Ｂが互いに離間して配置され、ユーザーが体組成計１０に乗ったときに、左足の爪先が通電電極１２Ａに、左足の踵が測定電極１４Ａに接触し、右足の爪先が通電電極１２Ｂに、右足の踵が測定電極１４Ｂに接触するようになっている。なお、４つの通電電極１２Ａ、１２Ｂ、測定電極１４Ａ、１４Ｂは、金属部材、導電性樹脂部材、導電膜（例えば、酸化インジウムスズ（ＩＴＯ：Indium Tin Oxide））などの導電性部材であればよい。
【００２５】
通電電極１２Ａ、１２Ｂは、電流供給部１６Ｘに接続されており、通電電極１２Ａに接触するユーザーの左足からユーザーの体内を通り、通電電極１２Ｂに接触するユーザーの右足に至るまでの経路（又はこの逆向きの経路）で、生体インピーダンスを測定するための交流電流を供給するための電極である。また、測定電極１４Ａ、１４Ｂは、電圧測定部１６Ｙに接続されており、前記交流電流が供給されているときの、測定電極１４Ａが接触するユーザーの左足と、測定電極１４Ｂが接触するユーザーの右足と、の間の電圧を測定するための電極である。
【００２６】
電流供給部１６Ｘから供給される交流電流は、通電電極１２Ａ、１２Ｂを介して利用者の体内に供給され、測定電極１４Ａ、１４Ｂを介して電圧測定部１６Ｙで電圧が測定される。生体インピーダンス算出部１６Ｚは、このような電流及び電圧の各値に基づいて、ユーザーの生体インピーダンスを算出して制御部３０に出力する。制御部３０は、測定された生体インピーダンス、測定された体重、ユーザーにより入力された年齢、性別、身長等のユーザー情報を、所定の回帰式に適用することにより、体脂肪率、内臓脂肪レベル等を算出する。生体インピーダンスの測定に関する構成は、公知の体組成計と同様の構成を用いればよい。
【００２７】
表示部１８は、測定した生体情報等が表示され、例えば、ＬＣＤ（Ｌｉｑｕｉｄ Ｃｒｙｓｔａｌ Ｄｉｓｐｌａｙ）等の液晶表示装置を採用することができる。
【００２８】
操作部２０は、複数の操作ボタンを含んで構成され、身長、性別、年齢等のユーザー情報を入力するための入力ボタン、体組成計１０を起動させるためのスタートボタン、体組成計１０の初期設定を行う設定モードを起動させるための設定ボタン、測定結果の表示項目の切り替えを行うための切替ボタンとして機能する。なお、表示部１８及び操作部２０をタッチパネルとし、画面に直接タッチすることで操作が可能な構成としてもよい。
【００２９】
記憶部２２は、例えば、半導体素子を用いた不揮発性メモリによって構成され、ユーザー情報の他、制御部３０による処理結果や処理等のための各種データを記憶する。
【００３０】
荷重センサ２４は、本実施形態では一例としてロードセルを用いる。ロードセルは、荷重に応じて変形する金属部材の起歪体と、起歪体に貼られる歪みゲージと、によって構成される。ユーザーが体組成計１０上に乗ると、ユーザーの荷重によって荷重センサ２４の起歪体が撓んで歪みゲージが伸縮し、歪みゲージはその伸縮に応じて抵抗値（出力値）が変化する。
【００３１】
制御部３０は、荷重が掛かっていないときの荷重センサ２４の出力値（ゼロ点）と、荷重が掛かったときの出力値と、の差から体重を算出することでユーザーの体重を測定する。荷重センサ２４を用いた体重の測定に関する構成は、公知の体重計と同様の構成を用いればよい。
【００３２】
タイマ２６は、現在時刻を取得する機能及び設定された時間を計時する計時機能を有する。
【００３３】
電源２８は、図示しない電池又は商用電源から供給された電圧を所定の電圧に変換し、体組成計１０を構成する各機能部へ供給する。
【００３４】
制御部３０は、ＣＰＵ、ＲＯＭ、及びＲＡＭ等を含んで構成され、後述する生体情報測定処理を制御部３０のＣＰＵに実行させるための生体情報測定プログラムが記憶されたＲＯＭから当該生体情報測定プログラムを読み出して実行する。なお、生体情報測定プログラムは、ＣＤ−ＲＯＭ、メモリーカード等の記録媒体により提供するようにしてもよく、図示しないサーバからダウンロードするようにしてもよい。
【００３５】
体組成計１０の動作モードとしては、通常モード及び省電力モードがある。通常モードでは、体組成計１０の各機能部（例えば、生体インピーダンス測定部１６、表示部１８、操作部２０、記憶部２２、荷重センサ２４、タイマ２６、制御部３０）に電力が供給され、これら各機能部が動作している状態であり、体重や生体インピーダンス等の生体情報の測定処理、ユーザー情報の登録処理等を実行する。
【００３６】
また、省電力モードでは、体組成計１０の限定された機能部（例えば、操作部２０、記憶部２２、荷重センサ２４、タイマ２６、制御部３０）に電力が供給され、これら限定された機能部が動作している状態であり、荷重センサ２４の出力値に基づいて体組成計１０の測定台１０Ａにユーザーが乗ったか否かを判定する判定処理、荷重センサ２４の出力値に基づいて荷重のゼロ点を更新するゼロ点更新処理等を実行する。さらに、省電力モードでは、特定の機能部（例えば、荷重センサ２４）については電力の供給の時間を限定して行う。
【００３７】
次に、本実施形態の作用として、制御部３０において実行される生体情報測定プログラムによる生体情報測定処理について、図３に示すフローチャートを参照して説明する。なお、図３に示す処理は、例えば電池がセットされて体組成計１０の限定された機能部に電力が供給されると実行される。
【００３８】
ステップＳ１００では、体組成計１０を省電力モードへ移行させる。すなわち、制御部３０は、表示部１８及び生体インピーダンス測定部１６等の省電力モードで動作する必要がない機能部、並びに、荷重センサ２４等の電力の供給の時間を限定して行う特定の機能部への電力の供給を停止するよう電源２８を制御する。これにより、通常モードと比較して電力の消費を抑えることができる。特に、大きな電力の消費を伴う生体インピーダンス測定部１６及び荷重センサ２４といった測定系の機能部の電力の消費が抑えられるので、特段に電池の消費寿命を延ばすことができる。
【００３９】
ステップＳ１０２では、操作部２０の操作が有ったか否かを判定し、操作が有った場合はステップＳ１０４へ移行し、操作が無かった場合はステップＳ１０７へ移行する。
【００４０】
ステップＳ１０４では、通常モードへ移行させる。すなわち、表示部１８及び生体インピーダンス測定部１６等の省電力モードで電力の供給を停止させていた機能部、並びに、荷重センサ２４等の電力の供給の時間を限定して行う特定の機能部に対して電力を供給するよう電源２８を制御する。すなわち、制御部３０は、体組成計１０の全ての各機能部に電力が供給されるように、電源２８を制御する。
【００４１】
ステップＳ１０６では、操作に対応した処理を実行する。例えば体組成計１０を起動させるためのスタートボタンが押下されたのであれば、表示部１８にメニュー等の画面を表示させ、その後はユーザー操作に応じた処理を実行する。
【００４２】
また、例えば体組成計１０の初期設定を行う設定モードを起動させるための設定ボタンが押下されたのであれば、図４に示す初期設定処理を実行する。
【００４３】
図４に示すように、ステップＳ２００では、ユーザー情報の登録処理を実行する。具体的には、体組成計１０を使用するユーザーの年齢、性別、及び身長の少なくとも１つを含むユーザー情報をユーザーに入力させ、入力されたユーザー情報を記憶部２２に記憶させる。
【００４４】
ステップＳ２０２では、初期設定体重を測定する。具体的には、例えば、荷重が掛っていないときの荷重センサ２４の出力値（ゼロ点）を取得し、体組成計１０の測定台１０Ａに乗るよう促すメッセージを表示部１８に表示させる。これによりユーザーは体組成計１０に乗る。そして、荷重センサ２４の出力値を取得し、取得した荷重センサ２４の出力値と、荷重が掛かっていないときの荷重センサ２４の出力値と、の差を演算することにより初期設定体重を測定する。
【００４５】
ステップＳ２０４では、ステップＳ２０２で測定した初期設定体重を表示部１８に表示させると共に、ゼロ点及び初期設定体重を記憶部２２に記憶させる。
【００４６】
ステップＳ２０６では、ステップＳ２０２で測定した初期設定体重に対して予め定めた演算方法で演算した値を、後述するステップＳ１１０の判定で用いるステップオン閾値として設定し、設定したステップオン閾値を記憶部２２に記憶させる。
【００４７】
具体的には、ステップＳ２０２で測定した初期設定体重に対して所定割合を乗算した値を、ユーザーが乗ったか否かを判定するためのステップオン閾値として設定する。所定割合は、初期設定体重を測定したユーザーの体重変化を考慮した値に設定され、例えば０．９程度の値に設定される。従って、初期設定体重が６０ｋｇのユーザーの場合、ステップオン閾値は５４ｋｇに設定される。
【００４８】
なお、演算方法は、初期設定体重に対して所定割合を乗算する場合に限られない。例えば初期設定体重から予め定めた値を減算してもよい。
【００４９】
また、複数のユーザーのユーザー情報が記憶部２２に登録された場合、初期設定体重もユーザーの数だけ記憶部２２に記憶される。この場合、ステップＳ２０６では、記憶部２２に記憶された複数のユーザーの初期設定体重のうち最低の初期設定体重に対して予め定めた演算方法で演算した値をステップオン閾値として設定する。
【００５０】
例えば図５に示すように、記憶部２２に４人のユーザーの初期設定体重が登録されている場合、最低の体重である登録番号２の体重４０ｋｇから、予め定めた値として１０ｋｇを減算した３０ｋｇをステップオン閾値として設定する。これにより、ステップオン閾値を極力高めに設定することができる。
【００５１】
図３に戻ってステップＳ１０７では、所定時間経過したか否かを判断し、所定時間経過した場合はステップＳ１０８へ移行し、所定時間経過していない場合はステップＳ１０２へ移行する。なお、所定時間は、短すぎると電力の消費が多くなり、長すぎるとユーザーが体組成計１０に乗ったと判定されるまでの時間が長くなってユーザーを待機させる時間が長くなる。このため、電力の消費を抑えつつ、ユーザーが体組成計１０に乗ったと判定されるまでの時間が長くなりすぎない時間に設定され、例えば２秒程度に設定される。
【００５２】
ステップＳ１０８では、荷重センサ２４へ電力を供給するよう電源２８を制御する。
【００５３】
ステップＳ１０９では、測定台１０Ａに掛っている荷重を測定する。具体的には、現状の荷重センサ２４の出力値を取得し、この取得した現状の荷重センサ２４の出力値と、制御部３０に含まれるＲＡＭに記憶された荷重のゼロ点、すなわち測定台１０Ａに荷重が掛かっていないときの荷重センサ２４の出力値と、の差を演算することにより、測定台１０Ａに掛っている荷重を測定する。
【００５４】
ステップＳ１１０では、ステップＳ１０９で測定された測定台１０Ａに掛っている荷重が、図４のステップＳ２０６で設定されたステップオン閾値以上であるか否かを判定する。そして、ステップＳ１０９で測定された測定台１０Ａに掛っている荷重がステップオン閾値以上であれば、ユーザーが体組成計１０に乗ったと判定してステップＳ１１６へ移行する。一方、ステップＳ１０９で測定された測定台１０Ａに掛っている荷重がステップオン閾値未満であれば、ユーザーが体組成計１０に乗っていないと判定してステップＳ１１２へ移行する。なお、ステップオン閾値が設定されていない場合には、生体情報測定プログラムで初期値として予め決められた閾値をステップオン閾値として用いる。
【００５５】
ステップＳ１１２では、ゼロ点更新処理を実行する。すなわち、ステップＳ１０９で取得した現状の荷重センサ２４の出力値をゼロ点として制御部３０に含まれるＲＡＭに記憶させる。なお、ゼロ点更新処理は毎回実行せずに、所定時間毎、例えば１時間毎に実行するようにしてもよい。
【００５６】
ステップＳ１１４では、荷重センサ２４への電力の供給を停止するよう電源２８を制御する。このように、測定台１０Ａに掛っている荷重を測定し、荷重のゼロ点を更新するときだけ、荷重センサ２４に対して電力を供給するので、電力の消費を抑えることができる。
【００５７】
ステップＳ１１６では、体組成計１０を通常モードへ移行させる。すなわち、制御部３０は、省電力モードで電力の供給を停止させていた表示部１８及び生体インピーダンス測定部１６等の機能部へ電力の供給を開始するよう電源２８を制御する。すなわち、制御部３０は、体組成計１０のすべての各機能部に電力が供給されるよう電源２８を制御する。
【００５８】
ステップＳ１１８では、生体情報を測定する。すなわち、体重、体脂肪率、内臓脂肪レベル、基礎代謝量、筋肉量、推定骨量、及び体水分率等の生体情報を測定する。
【００５９】
体重は、荷重センサ２４の出力値を取得し、取得した荷重センサ２４の出力値と、制御部３０に含まれるＲＡＭに記憶されたゼロ点、すなわち荷重が掛かっていないときの荷重センサ２４の出力値と、の差を演算することにより求める。そして、求めた体重を初期設定体重として記憶部２２に記憶させる。すなわち、初期設定体重を更新する。
【００６０】
体脂肪率、内臓脂肪レベル、基礎代謝量、筋肉量、推定骨量、及び体水分率等の生体情報を測定する際には、生体インピーダンス測定部１６に生体インピーダンスを測定させ、測定された生体インピーダンスと、記憶部２２に記憶された年齢、性別、及び身長等のユーザー情報と、ステップＳ１１８で測定された体重と、を所定の回帰式に代入して算出することにより求める。
【００６１】
なお、生体インピーダンスの精度を向上させるため、測定した生体インピーダンスが安定するまで測定を繰り返すことが好ましい。
【００６２】
ステップＳ１１９では、ステップＳ１１８で更新された初期設定体重に対応してステップオン閾値を更新する。すなわち、図４のステップＳ２０６と同様に、ステップＳ１１８で更新された初期設定体重に対して、所定割合を乗算した値をステップオン閾値として設定し、設定したステップオン閾値を記憶部２２に記憶させる。これにより、ステップＳ１１９が実行される毎に、記憶部２２に記憶されたステップオン閾値が更新される。これにより、ユーザーの体重が変動した場合でもステップオン閾値を適正な値に維持することができる。なお、所定割合は、ステップＳ１１８で体重を測定したユーザーの体重変化を考慮した値に設定され、例えば、ステップＳ２０６と同様に、０．９程度の値に設定される。従って、初期設定体重が６０ｋｇのユーザーの場合、ステップオン閾値は５４ｋｇに設定される。
【００６３】
なお、複数のユーザー情報が登録されている場合には、ステップＳ１１８で更新された初期設定体重が、複数のユーザーの初期設定体重のうち最低の初期設定体重よりも低い場合にのみステップオン閾値を更新すればよい。
【００６４】
ステップＳ１２０では、ステップＳ１１８で測定した体重等の生体情報を表示部１８に表示させると共に、記憶部２２に記憶させる。
【００６５】
ステップＳ１２２では、所定時間（例えば３０秒）経過したか否かを判定し、所定時間経過した場合はステップＳ１００へ戻り、所定時間経過していない場合は所定時間経過するまで待機する。
【００６６】
このように、本実施形態では、従来のようにステップオン閾値を固定とするのではなく、ユーザーの体重に応じてステップオン閾値を設定している。このため、ステップオン閾値が従来と比較して過度に低く設定されることなく、高めに設定されることになるため、電磁波ノイズが発生する環境下において、ユーザーが乗っていないのにも拘わらず省電力モードから通常モードへ移行してしまうのを抑制することができる。
【００６７】
なお、図４の初期設定処理では、ステップＳ２００でユーザー情報を登録した後にステップＳ２０２で体重を測定しているが、体重の測定を省略してもよい。
【００６８】
図６には、変形例として、初期設定処理において体重の測定を実行しない場合の処理のフローチャートを示した。
【００６９】
図６に示すように、ステップＳ３００では、ユーザー情報の登録処理を実行する。この処理は図４のステップＳ２００と同じである。
【００７０】
ステップＳ３０２では、ステップＳ３００で登録されたユーザー情報に基づいて、初期設定体重を求める。例えば、ユーザー情報、すなわちユーザーの性別、年齢、及び身長の少なくとも１つを含むユーザー情報と、初期設定体重と、の対応関係を表すテーブルデータを予め記憶部２２に記憶しておく。そして、ステップＳ３００で登録されたユーザー情報に対応する初期設定体重を前記テーブルデータから求める。このテーブルデータは、性別、年齢、及び身長の様々な組み合わせについて測定された体重の統計データに基づいて予め作成される。例えば、性別が男性、年齢が３０歳、身長が１７０ｃｍの場合、平均体重は６０ｋｇ程度、５パーセントタイル値は４０ｋｇ程度なので、初期設定体重は例えば３０ｋｇに設定される。
【００７１】
ステップＳ３０４では、ステップＳ３０２で求めた初期設定体重に対して予め定めた演算方法で演算した値をステップオン閾値として設定し、記憶部２２に記憶させる。この処理は図４のステップＳ２０６と同じである。
【００７２】
なお、体重が重い人ほど体重の変動も大きいと考えられる。このため、体重が重いユーザーの場合、ステップオン閾値を高めに設定してしまうと、ユーザーの体重が短期間で減った場合には、ユーザーが体組成計１０に乗っているのに乗っていないと誤判定してしまう虞がある。そこで、図４のステップＳ２０６及び図５のステップ３０４のステップオン閾値の設定において、初期設定体重の重さに応じてステップオン閾値の演算方法を変更するようにしてもよい。例えば、演算方法が、初期設定体重に所定割合を乗算する方法の場合、初期設定体重が重くなるに従って前記所定割合が低くなるようにする。これにより、体重が重いユーザーほどステップオン閾値が低く設定されるため、ユーザーの体重が短期間で減った場合においても、ユーザーが体組成計１０に乗っているのに乗っていないと誤判定してしまうのを防ぐことができる。
【００７３】
また、本実施形態では、本発明に係る生体情報測定装置を、体重、体脂肪率、内臓脂肪レベル、基礎代謝量、筋肉量、推定骨量、及び体水分率等の生体情報を測定する体組成計に適用した場合について説明したが、体重以外の生体情報のみを測定する体組成計に適用してもよいし、体重のみを測定する体重計に適用してもよい。
【符号の説明】
【００７４】
１０   体組成計
１２Ａ、１２Ｂ       通電電極
１４Ａ、１４Ｂ       測定電極
１６   生体インピーダンス測定部
１６Ｘ 電流供給部
１６Ｙ 電圧測定部
１６Ｚ 生体インピーダンス算出部
１８   表示部
２０   操作部
２２   記憶部
２４   荷重センサ
２６   タイマ
２８   電源
３０   制御部
【図１】
2016114386.tif 000003
【図２】
2016114386.tif 000004
【図３】
2016114386.tif 000005
【図４】
2016114386.tif 000006
【図５】
2016114386.tif 000007
【図６】
2016114386.tif 000008